(57)【特許請求の範囲】
【請求項１】
多重波長受動光ネットワーク（ＰＯＮ）のための波長構成方法であって、
光回線終端装置（ＯＮＵ）により、下流受信波長を走査するステップであって、前記多重波長ＰＯＮの各下流波長チャネルを介して光加入者線終端装置（ＯＬＴ）によって別々にブロードキャストされる各下流波長チャネルの下流波長情報を、前記ＯＮＵにより、受信する、ステップと、
前記ＯＮＵにより、前記下流波長情報に従って下流受信波長マッピング・テーブルを確立するステップであって、前記下流受信波長マッピング・テーブルのエントリは、下流受信波長情報および下流光受信器の駆動電流情報を含むステップと、
前記ＯＮＵにより、前記ＯＬＴによりブロードキャストされた前記下流波長情報から１つの下流波長を選択するステップと、
前記ＯＮＵにより、前記選択された下流波長に関連する前記下流受信波長マッピング・テーブルのエントリに記録した前記下流光受信器の前記駆動電流情報に従って、前記下流光受信器の動作波長を前記選択された下流波長に設定するステップと、
を含む、波長構成方法であって、
前記下流光受信器の前記駆動電流情報は、前記ＯＮＵによって、前記下流波長チャネルのＭＡＣモジュールから受信したメッセージまたはデータ・フレームから抽出される、
波長構成方法。
【請求項２】
前記下流受信波長マッピング・テーブルの前記エントリは前記ＯＮＵの受信光物理パラメータをさらに含み、
前記ＯＮＵにより、前記下流波長情報に従って下流受信波長マッピング・テーブルを確立するステップは、
前記ＯＮＵにより、前記下流受信波長を走査するプロセスの間に、前記ＯＮＵの受信光電流、または前記ＯＮＵの受信光電力、または受信信号強度表示ＲＳＳＩを検出し、前記ＯＮＵの前記受信光電流のピーク値、または前記ＯＮＵの前記受信光電力のピーク値、またはＲＳＳＩピーク値を検索するステップであって、前記ＯＮＵの前記受信光物理パラメータは前記ＯＮＵの前記受信光電流のピーク値、または、前記ＯＮＵの前記受信光電力のピーク値、または前記ＲＳＳＩピーク値であるステップと、
前記ＯＮＵの前記受信光物理パラメータが検索されたとき、前記ＯＮＵにより、前記下流光受信器の現在の駆動電流および前記ＯＮＵの前記受信光物理パラメータに対応する下流波長チャネルの下流波長情報を記録し、前記下流受信波長マッピング・テーブルのエントリを確立するステップであって、前記下流受信波長マッピング・テーブルのエントリは、前記下流光受信器の前記現在の駆動電流、前記ＯＮＵの前記受信光物理パラメータに対応する下流波長チャネルの下流波長情報、および前記ＯＮＵの前記受信光物理パラメータを含むステップと、
を含む、請求項１に記載の波長構成方法。
【請求項３】
前記ＯＮＵにより、上流送信波長を走査するステップと、
前記ＯＬＴにより割り当てられた登録許可タイムスロットで登録要求を前記ＯＬＴに送信するステップと、
前記ＯＬＴが送信したＯＮＵ識別子割当てメッセージが受信されたかどうかを判定し、受信されなかった場合には、前記ＯＬＴにより割り当てられた次の登録許可タイムスロットで、前記ＯＮＵ識別子割当てメッセージの受信に成功するまで前記登録要求を前記ＯＬＴに再度送信するステップと、
さらに含む、請求項１または２に記載の波長構成方法。
【請求項４】
前記ＯＮＵにより、上流送信波長を走査し、前記ＯＬＴにより割り当てられた登録許可タイムスロットで登録要求を前記ＯＬＴに送信するステップは、
前記ＯＮＵにより、前記ＯＮＵの上流光送信器によりサポートされる駆動電流の値範囲からの１つの境界値を初期電流値として選択し、事前設定変動を用いて前記上流光送信器の駆動電流を調節し前記値範囲において漸進的な増大または減少を行うステップと、
前記ＯＮＵにより、前記ＯＬＴにより前記ＯＮＵに提供された前記登録許可タイムスロットにおいて、駆動電流値に対応する上流送信波長に従って前記ＯＮＵの登録要求を前記ＯＬＴに送信するステップであって、前記上流光送信器の前記駆動電流は現在、前記駆動電流値に調節されているステップと、
を含む、請求項３に記載の波長構成方法。
【請求項５】
前記ＯＮＵにより前記下流受信波長マッピング・テーブルに従って、前記ＯＮＵの前記選択された下流受信波長に変動が生じたかどうかを検出し、前記変動が生じたとき、前記選択された下流受信波長を較正するステップをさらに含む、請求項１乃至４の何れか１項に記載の波長構成方法。
【請求項６】
前記ＯＮＵにより、前記ＯＬＴにより送信された上流送信波長調節命令を受信し、前記上流送信波長調節命令に従って上流送信波長を微調整して、前記ＯＬＴが前記ＯＬＴの受信光物理パラメータを検出し上流受信波長マッピング・テーブルを確立するようにするステップであって、前記上流受信波長マッピング・テーブルのエントリは上流受信波長情報、ＯＮＵシーケンス番号情報、および前記ＯＬＴの前記受信光物理パラメータを含むステップをさらに含む、請求項１乃至５の何れか１項に記載の波長構成方法。
【請求項７】
前記ＯＮＵにより、前記上流受信波長マッピング・テーブルを確立した後前記ＯＬＴが送信した上流受信波長情報を受信し、上流送信波長マッピング・テーブルを前記上流受信波長情報に従って確立するステップであって、前記上流送信波長マッピング・テーブルのエントリは前記上流光送信器の上流送信波長情報と駆動電流情報を含むステップをさらに含む、請求項６に記載の波長構成方法。
【請求項８】
前記ＯＬＴによりブロードキャストされた前記下流波長情報を受信したとき、前記ＯＮＵはさらに、前記ＯＬＴにより各下流波長チャネルを介して別々にブロードキャストされＯＮＵ登録に利用できる上流波長情報を受信する、請求項７に記載の波長構成方法。
【請求項９】
前記ＯＮＵにより、ＯＮＵ登録に利用できる前記上流波長情報に従って、前記上流送信波長マッピング・テーブルのエントリに記録した前記上流光送信器の前記駆動電流情報を問い合わせ、前記上流光送信器の前記上流送信波長を前記駆動電流情報に従って設定するステップをさらに含む、請求項８に記載の波長構成方法。
【請求項１０】
前記ＯＬＴにより、前記上流受信波長マッピング・テーブルに従って、前記ＯＮＵの上流送信波長に変動が生じたかどうかを監視し、前記変動が生じたとき、前記上流送信波長を較正するように前記ＯＮＵに指示するステップをさらに含む、請求項６乃至９の何れか１項に記載の波長構成方法。
【請求項１１】
多重波長受動光ネットワーク（ＰＯＮ）に対する波長構成装置であって、
前記多重波長ＰＯＮの各下流波長チャネルを介して光加入者線終端装置（ＯＬＴ）により別々にブロードキャストされた各下流波長チャネルの下流波長情報を、受信するために、下流受信波長を走査するように構成された受信モジュールと、
前記下流波長情報に従って下流受信波長マッピング・テーブルを確立するように構成された波長マッピング・テーブル確立モジュールであって、前記下流受信波長マッピング・テーブルのエントリは下流受信波長情報および下流光受信器の駆動電流情報を含む波長マッピング・テーブル確立モジュールと、
前記ＯＬＴによりブロードキャストされた前記下流波長情報から１つの下流波長を選択し、前記選択された下流波長に関連する前記下流受信波長マッピング・テーブルのエントリに記録した前記下流光受信器の前記駆動電流情報に従って、前記下流光受信器の動作波長を前記選択された下流波長に設定するように構成された波長構成モジュールと、
を備えた、波長構成装置であって、
前記下流光受信器の前記駆動電流情報は、ＯＮＵによって、前記下流波長チャネルのＭＡＣモジュールから受信したメッセージまたはデータ・フレームから抽出される、
波長構成装置。
【請求項１２】
前記下流受信波長マッピング・テーブルの前記エントリはＯＮＵの受信光物理パラメータをさらに含み、
前記波長マッピング・テーブル確立モジュールは、
前記下流受信波長を走査するプロセスの間に、前記ＯＮＵの受信光電流のピーク値、または前記ＯＮＵの受信光電力のピーク値、または検出された前記ＯＮＵの受信光電流からのＲＳＳＩピーク値、または前記ＯＮＵの受信光電力、または受信信号強度表示を検索するように構成されたピーク値検索ユニットであって、前記ＯＮＵの前記受信光物理パラメータは前記ＯＮＵの前記受信光電流のピーク値、または、前記ＯＮＵの前記受信光電力のピーク値、または前記ＲＳＳＩピーク値であるピーク値検索ユニットと、
前記ピーク値検索ユニットが前記ＯＮＵの前記受信光物理パラメータを検索したとき、前記下流光受信器の現在の駆動電流および前記ＯＮＵの前記受信光物理パラメータに対応する下流波長チャネルの下流波長情報を記録し、前記下流受信波長マッピング・テーブルのエントリを確立するように構成されたエントリ確立モジュールであって、前記下流受信波長マッピング・テーブルのエントリは、前記下流光受信器の前記現在の駆動電流、前記ＯＮＵの前記受信光物理パラメータに対応する下流波長チャネルの下流波長情報、および前記ＯＮＵの前記受信光物理パラメータを含むエントリ確立モジュールと、
を備える、請求項１１に記載の波長構成装置。
【請求項１３】
上流送信波長を走査し、前記ＯＬＴにより割り当てられた登録許可タイムスロットで登録要求を前記ＯＬＴに送信するように構成された送信モジュールと、
前記受信モジュールが、前記ＯＬＴが送信したＯＮＵ識別子割当てメッセージを受信したかどうかを判定し、受信しなかった場合には、前記受信モジュールが前記ＯＮＵ識別子割当てメッセージの受信に成功するまで、前記ＯＬＴにより割り当てられた次の登録許可タイムスロットで前記登録要求を前記ＯＬＴに再び送信するように前記送信モジュールを制御するように構成された制御モジュールと、
さらに備えた、請求項１１または１２に記載の波長構成装置。
【請求項１４】
前記送信モジュールは、
上流光送信器によりサポートされる駆動電流の値範囲から１つの境界値を初期電流値として選択して、事前設定変動を用いることによって前記上流光送信器の駆動電流を調節して前記値範囲において漸進的な増大または減少を実施するように構成された駆動電流調節ユニットと、
前記ＯＬＴにより前記ＯＮＵに提供された前記登録許可タイムスロットにおいて、駆動電流値に対応する上流送信波長に従ってＯＮＵ登録要求を前記ＯＬＴに送信するように構成された送信ユニットであって、前記上流光送信器の前記駆動電流は現在、前記駆動電流値に調節されている送信ユニットと、
を備える、請求項１３に記載の波長構成装置。
【請求項１５】
前記下流受信波長マッピング・テーブルに従って、前記選択された下流受信波長に変動が生じたかどうかを検出し、前記変動が生じたとき前記下流受信波長を較正するように構成された波長較正モジュールをさらに備える、請求項１１乃至１４の何れか１項に記載の波長構成装置。
【請求項１６】
前記受信モジュールはさらに、前記ＯＬＴにより送信された上流送信波長調節命令を受信するように構成され、
前記送信モジュールはさらに、前記ＯＬＴが前記ＯＬＴの受信光電流を検出し上流受信波長マッピング・テーブルを確立するように、前記上流送信波長を前記上流送信波長調節命令に従って微調整するように構成された、
請求項１４に記載の波長構成装置。
【請求項１７】
前記受信モジュールはさらに、前記上流受信波長マッピング・テーブルを確立した後に、前記ＯＬＴが送信した上流受信波長情報を受信するように構成され、
前記波長マッピング・テーブル確立モジュールはさらに、上流送信波長マッピング・テーブルを前記上流受信波長情報に従って確立するように構成され、前記上流送信波長マッピング・テーブルのエントリは前記上流光送信器の上流送信波長情報と駆動電流情報を含む、
請求項１６に記載の波長構成装置。
【請求項１８】
前記受信モジュールはさらに、前記ＯＬＴによりブロードキャストされた前記下流波長情報を受信したとき、前記ＯＬＴにより各下流波長チャネルを介して別々にブロードキャストされＯＮＵ登録に利用できる上流波長情報を受信するように構成された、請求項１７に記載の波長構成装置。
【請求項１９】
前記波長構成モジュールはさらに、ＯＮＵ登録に利用できる前記上流波長情報に従って、前記上流送信波長マッピング・テーブルのエントリに記録した前記上流光送信器の前記駆動電流情報を問い合わせ、前記駆動電流情報に従って前記上流光送信器の前記上流送信波長を設定するように構成された、請求項１８に記載の波長構成装置。
【請求項２０】
少なくとも１つの光加入者線終端装置（ＯＬＴ）と複数の光回線終端装置（ＯＮＵ）を備えた多重波長受動光ネットワーク（ＰＯＮ）システムであって、前記少なくとも１つのＯＬＴは光分配ネットワークを用いてポイント・ツー・マルチポイント方式で前記複数のＯＮＵに接続され、前記ＯＮＵは請求項１１乃至１９の何れか１項に記載の多重波長ＰＯＮのための波長構成装置を備える、多重波長受動光ネットワークＰＯＮシステム。
【発明の詳細な説明】
【技術分野】
【０００１】
本発明は主に光通信技術に関し、特に、多重波長受動光ネットワーク（Ｐａｓｓｉｖｅ  Ｏｐｔｉｃａｌ  Ｎｅｔｗｏｒｋ、ＰＯＮ）のための波長構成方法および装置、ならびに多重波長受動光ネットワーク・システムに関する。
【背景技術】
【０００２】
受動光ネットワーク（ＰＯＮ）技術は今日、主要なブロードバンド・アクセス技術である。従来のＰＯＮシステムは、時分割多重（Ｔｉｍｅ  Ｄｉｖｉｓｉｏｎ  Ｍｕｌｔｉｐｌｅｘｉｎｇ、ＴＤＭ）機構に基づくポイント・ツー・マルチポイントのネットワーク・システムである。図１を参照すると、ＰＯＮシステムは、一般に、中央の企業側に配置された光加入者線終端装置（Ｏｐｔｉｃａｌ  Ｌｉｎｅ  Ｔｅｒｍｉｎａｌ、ＯＬＴ）、ユーザ側に配置された複数の光回線終端装置（Ｏｐｔｉｃａｌ  Ｎｅｔｗｏｒｋ  Ｕｎｉｔ、ＯＮＵ）、およびＯＬＴとＯＮＵの間の光分配ネットワーク（Ｏｐｔｉｃａｌ  Ｄｉｓｔｒｉｂｕｔｉｎｇ  Ｎｅｔｗｏｒｋ、ＯＤＮ）を備える。ＯＤＮは、複数のＯＮＵが光伝送路を共有できるようにＯＬＴとＯＮＵの間でデータ信号を分散または多重化するために使用される。ＴＤＭ機構に基づくＰＯＮシステムでは、ＯＬＴからＯＮＵへの方向を下流と呼び、ＯＬＴは下流のデータ・ストリームをＴＤＭ方式で全てのＯＮＵにブロードキャストし、各ＯＮＵはＯＮＵの識別子を運搬するデータのみを受信し、ＯＮＵからＯＬＴへの方向を上流と呼ぶ。全てのＯＮＵが光伝送路を共有するので、ＯＮＵの間の上流データの衝突を防ぐために、ＰＯＮシステムは上流方向において時分割多重アクセス（Ｔｉｍｅ  Ｄｉｖｉｓｉｏｎ  Ｍｕｌｔｉｐｌｅ  Ａｃｃｅｓｓ、ＴＤＭＡ）方式を使用する。即ち、ＯＬＴはタイムスロットを各ＯＮＵに割り当て、各ＯＮＵはＯＬＴにより割り当てられたタイムスロットに厳密に従って上流データを送信する。
【０００３】
しかし、ＰＯＮシステムはＴＤＭ機構の時分割特性の影響を受け、ユーザの利用可能な帯域幅は一般に制限される。さらに、ファイバ自体の利用可能な帯域幅を効果的に使用することができない。したがって、新興のブロードバンド・ネットワーク・アプリケーションのサービス要件を満たすことができない。かかる問題を解決するため、および、既存のＰＯＮシステムとの互換性の観点から、波長分割多重（Ｗａｖｅｌｅｎｇｔｈ  Ｄｉｖｉｓｉｏｎ  Ｍｕｌｔｉｐｌｅｘｉｎｇ、ＷＤＭ）技術とＴＤＭ技術を統合したハイブリッドＰＯＮシステムが業界で提案されている。ハイブリッドＰＯＮでは、中央の企業側のＯＬＴとユーザ側のＯＮＵの間で複数の波長チャネルを使用してデータを送受信する。即ち、ハイブリッドＰＯＮシステムは多重波長ＰＯＮシステムである。
【０００４】
多重波長ＰＯＮシステムでは、ＯＬＴは、複数の波長チャネルを使用することで、同時に行われるデータの送信と受信をサポートする。各ＯＮＵは波長チャネルの１つに別々に作用する。下流方向では、ＯＬＴは、各波長チャネルに対応する下流波長を使用して、波長チャネルに作用する複数のＯＮＵに下流データをブロードキャストし、上流方向では、各波長チャネルのＯＮＵは、ＯＬＴにより割り当てられたタイムスロットで、波長チャネルの上流波長を介して上流データをＯＬＴに送信してもよい。保管費を削減するために、ＯＮＵは一般に、波長調節可能な光送受信器の構成要素を使用する。したがって、動作波長を初期化の間にＯＮＵに対して構成する必要がある。
【発明の概要】
【発明が解決しようとする課題】
【０００５】
しかし、ＯＮＵにより構成された下流受信波長または上流送信波長がＯＬＴによりサポートされない場合には、ＯＮＵを上手く登録することができない。
【課題を解決するための手段】
【０００６】
本発明では、多重波長受動光ネットワークのための波長構成方法を提供する。当該方法により正常なＯＮＵ登録を効果的に保証することができる。さらに、波長構成方法に基づいて、本発明はさらに、多重波長受動光ネットワーク・システムおよび当該多重波長受動光ネットワーク・システムに対する波長構成装置を提供する。
【０００７】
多重波長受動光ネットワークのための波長構成方法は、ＯＮＵにより、下流受信波長を走査し、下流受信波長を走査するプロセスの間に、ＯＬＴにより多重波長受動光ネットワークの各下流波長チャネルを介して別々にブロードキャストされた各下流波長チャネルの下流波長情報を受信するステップと、ＯＮＵにより、下流波長情報に従って下流受信波長マッピング・テーブルを確立するステップであって、下流受信波長マッピング・テーブルのエントリは下流受信波長情報、下流光受信器の駆動電流情報、およびＯＮＵの受信光物理パラメータを含むステップと、ＯＮＵにより、ＯＬＴによりブロードキャストされた下流波長情報から１つの下流波長を選択し、当該選択された下流波長に関連する下流受信波長マッピング・テーブルのエントリに記録した下流光受信器の駆動電流情報に従って、下流光受信器の動作波長を当該選択された下流波長に設定するステップとを含む。
【０００８】
多重波長受動光ネットワークのための波長構成装置は、下流受信波長を走査し、下流受信波長を走査するプロセスの間に、ＯＬＴにより多重波長受動光ネットワークの各下流波長チャネルを介して別々にブロードキャストされた各下流波長チャネルの下流波長情報を受信するように構成された受信モジュールと、下流波長情報に従って下流受信波長マッピング・テーブルを確立するように構成された波長マッピング・テーブル確立モジュールであって、下流受信波長マッピング・テーブルのエントリは下流受信波長情報、下流光受信器の駆動電流情報、およびＯＮＵの受信光物理パラメータを含む波長マッピング・テーブル確立モジュールと、ＯＬＴによりブロードキャストされた下流波長情報から１つの下流波長を選択し、当該選択された下流波長に関連する下流受信波長マッピング・テーブルのエントリに記録した下流光受信器の駆動電流情報に従って、下流光受信器の動作波長を当該選択された下流波長に設定するように構成された波長構成モジュールとを備える。
【０００９】
多重波長受動光ネットワーク・システムは少なくとも１つのＯＬＴと複数のＯＮＵを備える。当該少なくとも１つのＯＬＴは、ポイント・ツー・マルチポイント方式で光分配ネットワークを介して当該複数のＯＮＵに接続される。ＯＮＵは、多重波長受動光ネットワークに対する前述の波長構成装置を備える。
【００１０】
本発明で提供する当該波長構成方法、多重波長ＰＯＮに対する装置、および多重波長ＰＯＮシステムでは、ＯＮＵが初期化プロセス中に波長を走査してＯＬＴと対話し、対応する波長マッピング・テーブルを確立して、ＯＮＵにより構成された送受信器波長がＯＬＴによりサポートされる波長範囲内にあることを保証し、それにより、ＯＮＵの送受信器波長の正常な初期化が実現される。
【００１１】
本発明または先行技術の諸実施形態の技術的解決策をより明確に説明するために、以下では当該諸実施形態を説明するために必要な添付図面を簡単に説明する。明らかに、以下の説明における添付図面は本発明の諸実施形態の一部を示すにすぎず、当業者は創造的作業なしにこれらの添付図面から他の図面を導出することができる。
【図面の簡単な説明】
【００１２】
【図１】時分割多重機構に基づく受動光ネットワーク・システムのネットワーク・アーキテクチャの略図である。
【図２】本発明の実施形態に従う多重波長受動光ネットワーク・システムのネットワーク・アーキテクチャの略図である。
【図３】本発明の第１の実施形態に従う多重波長受動光ネットワークのための波長切替え方法の流れ図である。
【図４】図３に示す多重波長受動光ネットワークのための波長切替え方法において、ＸＧＴＣフレームを使用して波長情報を運搬することを示す略図である。
【図５】図３に示す多重波長受動光ネットワークのための波長切替え方法において、ＰＬＯＡＭメッセージを使用して波長情報を運搬することを示す略図である。
【図６】本発明の実施形態に従う多重波長受動光ネットワークのための波長切替え装置の略構造図である。
【発明を実施するための形態】
【００１３】
以下では本発明の諸実施形態の添付図面を参照して本発明の諸実施形態の技術的解決策を明確かつ十分に説明する。明らかに、説明する諸実施形態は本発明の諸実施形態の全部ではなく一部にすぎない。当業者が本発明の諸実施形態に基づいて創造的作業なしに取得した他の全ての実施形態は本発明の保護範囲に入るものとする。
【００１４】
図２を参照する。図２は、本発明の１実施形態に従う多重波長受動光ネットワーク・システム１００のネットワーク・アーキテクチャの略図である。多重波長ＰＯＮシステム１００は、少なくとも１つの光加入者線終端装置（ＯＬＴ）１１０、複数の光回線終端装置（ＯＮＵ）１２０、および１つの光分配ネットワーク（ＯＤＮ）１３０を備える。ＯＬＴ１１０はＯＤＮ１３０を用いてポイント・ツー・マルチポイント方式で複数のＯＮＵ１２０に接続され、複数のＯＮＵ１２０がＯＤＮ１３０の光送信媒体を共有する。ＯＤＮ１３０が、フィーダ・ファイバ（ｆｅｅｄｅｒ  ｆｉｂｅｒ）１３１、光学スプリッタ・モジュール１３２、および複数のドロップ・ファイバ１３３を備えてもよい。光学スプリッタ・モジュール１３２をリモート・ノード（Ｒｅｍｏｔｅ  Ｎｏｄｅ、ＲＮ）に配置してもよい。当該光学スプリッタ・モジュールは、一方ではフィーダ・ファイバ１３１を用いてＯＬＴ１１０に接続され、他方では複数のドロップ・ファイバ１３３を用いて複数のＯＮＵ１２０に別々に接続される。
【００１５】
多重波長ＰＯＮシステム１００では、ＯＬＴ１１０と複数のＯＮＵ１２０の間の通信リンクが複数の上流波長チャネルと複数の下流波長チャネルを備えてもよい。下流方向では、当該複数の下流波長チャネルがＯＤＮの光送信媒体を波長分割多重（ＷＤＭ）方式で共有し、各ＯＮＵ１２０が多重波長ＰＯＮシステム１００の下流波長チャネルの１つに作用し、各下流波長チャネルが１つまたは複数のＯＮＵ１２０の下流サービスを運搬し、同一の下流波長チャネルに作用するＯＮＵ１２０が下流波長チャネルを時分割多重アクセス（ＴＤＭＡ）方式で共有してもよい。上流方向では、当該複数の上流波長チャネルがＯＤＮ１３０の光送信媒体をＷＤＭ方式で共有し、各ＯＮＵ１２０が多重波長ＰＯＮシステム１００の上流波長チャネルの１つに作用し、各上流波長チャネルが１つまたは複数のＯＮＵ１２０の上流サービスを運搬し、同一の上流波長チャネルに作用するＯＮＵ１２０が上流波長チャネルを時分割多重アクセス（ＴＤＭＡ）方式で共有してもよい。
【００１６】
本実施形態では、図２に示すように、多重波長ＰＯＮシステム１００が４つの上流波長チャネルと下流波長チャネルを有する例を用いて説明を行う。実際の適用では、多重波長ＰＯＮシステム１００の上流波長チャネルの数と下流波長チャネルの数をネットワーク要件に従って決定してもよいことは理解される。説明の簡単さのため、本実施形態では、多重波長ＰＯＮシステム１００の当該４つの上流波長チャネルを、（第１の上流波長λｕ１を使用する）上流波長チャネル１、（第２の上流波長λｕ２を使用する）上流波長チャネル２、（第３の上流波長λｕ３を使用する）上流波長チャネル３、および（第４の上流波長λｕ４を使用する）上流波長チャネル４と別々に称する。多重波長ＰＯＮシステム１００の当該４つの下流波長チャネルを、（第１の下流波長λｄ１を使用する）下流波長チャネル１、（第２の下流波長λｄ２を使用する）下流波長チャネル２、（第３の下流波長λｄ３を使用する）下流波長チャネル３、および（第４の下流波長λｄ４を使用する）下流波長チャネル４と別々に称する。
【００１７】
各上流波長チャネルと各下流波長チャネルが対応する波長チャネル識別子（例えば、チャネル数）を有してもよい。即ち、上流波長チャネル識別子と上流波長チャネル識別子により識別される上流波長チャネルの上流波長との間にはマッチング関係があり、ＯＬＴ１１０とＯＮＵ１２０が上流波長チャネルの上流波長を上流波長チャネル識別子に従って学習してもよい。同様に、下流波長チャネル識別子と下流波長チャネル識別子により識別される下流波長チャネルの下流波長の間にも関係があり、ＯＬＴ１１０とＯＮＵ１２０は下流波長チャネルの下流波長を下流波長チャネル識別子に従って学習してもよい。
【００１８】
１実施形態では、図２を参照すると、ＯＬＴ１１０が、光結合器１１１、第１の波長分割マルチプレクサ１１２、第２の波長分割マルチプレクサ１１３、複数の下流光送信器Ｔｘ１乃至Ｔｘ４、複数の上流光受信器Ｒｘ１乃至Ｒｘ４、および処理モジュール１１４を備えてもよい。複数の下流光送信器Ｔｘ１乃至Ｔｘ４は第１の波長分割マルチプレクサ１１２を用いて光結合器１１１に接続され、複数の上流光受信器Ｒｘ１乃至Ｒｘ４は第２の波長分割マルチプレクサ１１３を用いて光結合器１１１に接続され、結合器１１１はさらにＯＤＮ１３０のフィーダ・ファイバ１３１に接続される。
【００１９】
送信波長は当該複数の下流光送信器Ｔｘ１乃至Ｔｘ４の間で変化する。下流光送信器Ｔｘ１乃至Ｔｘ４の各々が、多重波長ＰＯＮシステム１００の下流波長チャネルの１つに対応してもよい。例えば、当該複数の下流光送信器Ｔｘ１乃至Ｔｘ４の送信波長がそれぞれλｄ１乃至λｄ４であってもよい。下流光送信器Ｔｘ１乃至Ｔｘ４が、それらの送信波長λｄ１乃至λｄ４を利用して下流データを別々に対応する下流波長チャネルに送信して、下流波長チャネルに作用するＯＮＵ１２０により下流データが受信されるようにしてもよい。それに応じて、受信波長が複数の上流光受信器Ｒｘ１乃至Ｒｘ４の間で変化してもよい。上流光受信器Ｒｘ１乃至Ｒｘ４の各々はまた、多重波長受動光ネットワーク・システム１００の上流波長チャネルの１つに対応する。例えば、複数の上流光受信器Ｒｘ１乃至Ｒｘ４の受信波長がそれぞれλｕ１乃至λｕ４であってもよい。上流光受信器Ｒｘ１乃至Ｒｘ４が、それらの受信波長λｕ１乃至λｕ４を利用して、対応する上流波長チャネルに作用するＯＮＵ１２０により送信された上流データを受信してもよい。
【００２０】
第１の波長分割マルチプレクサ１１２は、当該複数の下流光送信器Ｔｘ１乃至Ｔｘ４により送信されその波長がλｄ１乃至λｄ４である下流データに対する波長分割多重処理を実施し、光結合器１１１を介して下流データをＯＤＮ１３０のフィーダ・ファイバ１３１に送信して、ＯＤＮ１３０を用いて下流データをＯＮＵ１２０に提供するように構成される。さらに、光結合器１１１をさらに、複数のＯＮＵ１２０から来てその波長がλｕ１乃至λｕ４である上流データを第２の波長分割マルチプレクサ１１３に提供するよう構成してもよく、第２の波長分割マルチプレクサ１１３は、その波長がλｕ１乃至λｕ４である上流データを上流光受信器Ｒｘ１乃至Ｒｘ４に対して逆多重化してデータ受信を実施してもよい。
【００２１】
処理モジュール１１４が媒体アクセス制御（Ｍｅｄｉａ  Ａｃｃｅｓｓ  Ｃｏｎｔｒｏｌ、ＭＡＣ）モジュールであってもよい。一方では、ＯＮＵ１２０が作用する下流波長チャネルに従って、処理モジュール１１４は、ＯＮＵ１２０に送信される下流データを下流波長チャネルに対応する下流光送信器に提供して、下流光送信器が下流データを当該波長チャネルに送信するようにしてもよい。他方、処理モジュール１１４が、上流光受信器Ｒｘ１乃至Ｒｘ４の各々が受信した上流データを処理してもよい
【００２２】
ＯＮＵ１２０の（上流送信波長および下流受信波長を含む）動作波長は調節可能である。具体的な実施形態では、ＯＮＵ１２０が光結合器１２１、下流光受信器１２２、上流光送信器１２３、および処理モジュール１２４を備えてもよい。下流光受信器１２２と上流光送信器１２３は両方とも波長調節可能な構成要素であり、光結合器１２１を用いてＯＮＵ１２０に対応するドロップ・ファイバに接続してもよい。一方では、光結合器１２１は、上流光送信器１２３により送信された上流データをＯＤＮ１３０のドロップ・ファイバ１３３に提供して、ＯＤＮ１３０を介して上流データをＯＬＴ１１０に送信してもよい。他方、光結合器１２１はさらに、ＯＤＮ１３０を介してＯＬＴ１１０により送信された下流データを下流光受信器１２２に提供してデータ受信を実施してもよい。
【００２３】
処理モジュール１２４はＭＡＣモジュールであってもよい。一方では、処理モジュール１２４が、必要に応じて、下流光受信器１２２と上流光送信器１２３を制御して波長調節を実施してもよい。他方、処理モジュール１２４が、指定されたタイムスロットで、ＯＬＴ１１０に送信される上流データを上流光送信器１２３に提供して、上流光送信器１２３が対応する上流波長チャネルを介して上流データをＯＬＴ１１０に送信し処理モジュール１２４が下流光受信器１２２により受信された下流データを処理するようにしてもよい。
【００２４】
当該多重波長ＰＯＮシステムでは、ＯＬＴ１１０が複数の上流および下流波長チャネルをサポートしＯＮＵ１２０の動作波長は調節可能であるので、正常な登録を実現するために、初期化の間に、ＯＬＴ１１０がサポートする波長機能に従って下流受信波長と上流送信波長を先ずＯＮＵ１２０に対して構成する必要がある。本発明の１実施形態に従う多重波長ＰＯＮシステムのための波長構成方法により、ＯＮＵの動作波長の正確な初期化を保証することができる。
【００２５】
図３は、本発明の実施形態に従う多重波長受動光ネットワークのための波長構成方法の流れ図である。当該波長構成方法が以下を含んでもよい。
【００２６】
ステップＳ１０では、ＯＬＴが定期的に、多重波長ＰＯＮシステムの各下流波長チャネルで、各下流波長チャネルの下流波長情報とＯＮＵ登録に利用できる上流波長の情報をブロードキャストする。
【００２７】
１態様では、中央の企業側のＯＬＴのＭＡＣモジュールが、各下流波長チャネルの下流波長情報を対応する下流光送信器Ｔｘ１乃至Ｔｘ４に別々に提供し、各下流波長チャネルを介して下流波長情報をユーザ側のＯＮＵに定期的にブロードキャストするように下流光送信器Ｔｘ１乃至Ｔｘ４を制御してもよい。各下流波長チャネルが具体的な下流波長に対応するので、１実施形態では、ＯＬＴにより各波長チャネルでブロードキャストされた下流波長情報は、下流波長チャネル数のような下流波長チャネルのチャネル識別子情報であってもよい。
【００２８】
別の態様では、ＯＬＴの当該ＭＡＣモジュールはさらに、各上流波長チャネルで実際にオンラインであるＯＮＵの数を参照し、波長チャネル上のＯＮＵの数をバランスするためのアルゴリズムに従って、ＯＮＵ登録に利用できる上流波長情報、即ち、利用可能上流波長情報を取得してもよい。さらに、当該ＭＡＣモジュールが、上流波長情報を下流光送信器Ｔｘ１乃至Ｔｘ４に提供して、下流光送信器Ｔｘ１乃至Ｔｘ４が各下流波長チャネルを介して下流波長をブロードキャストするときに利用可能上流波長情報の同時のブロードキャストを実現するようにしてもよい。
【００２９】
１実施形態では、下流波長情報と上流波長情報を、ＸＧＰＯＮ伝送コンバージェンス（ＸＧＰＯＮ  Ｔｒａｎｓｍｉｓｓｉｏｎ  Ｃｏｎｖｅｒｓｉｏｎ、ＸＧＴＣ）フレーム、ＧＰＯＮ伝送コンバージェンス（ＧＰＯＮ  Ｔｒａｎｓｍｉｓｓｉｏｎ  Ｃｏｎｖｅｒｓｉｏｎ、ＧＴＣ）フレームまたは論理リンク識別子（Ｌｏｇｉｃ  Ｌｉｎｋ  Ｉｄｅｎｔｉｆｉｅｒ、ＬＬＩＤ）を有するＥｔｈｅｒｎｅｔ（登録商標）フレーム（即ち、ＥＰＯＮフレーム）で運搬してもよい。
【００３０】
ＸＧＴＣフレームを使用して下流波長情報と上流波長情報を運搬する例を使用する。図４を参照すると、当該ＸＧＴＣフレームはＸＧＴＣフレームヘッダおよびＸＧＴＣペイロードを含む。当該ＸＧＴＣフレームヘッダは、光回線終端装置識別子（ＯＮＵ−ＩＤ）フィールド、指示（Ｉｎｄ）フィールド、ハイブリッド誤り訂正（Ｈｙｂｒｉｄ  Ｅｒｒｏｒ  Ｃｏｒｒｅｃｔｉｏｎ、ＨＥＣ）フィールドおよび物理層操作運用および保守上流（Ｐｈｙｓｉｃａｌ  Ｌａｙｅｒ  Ｏｐｅｒａｔｉｏｎｓ、Ａｄｍｉｎｉｓｔｒａｔｉｏｎ  ａｎｄ  Ｍａｉｎｔｅｎａｎｃｅ  Ｕｐｓｔｒｅａｍ、ＰＬＯＡＭｕ）フィールドを含む。下流波長情報と上流波長情報をＩｎｄフィールドで運搬してもよい。例えば、９ビットの予約（Ｒｅｓｅｒｖｅ）フィールドは既存のＸＧＰＯＮ標準で定義されたＸＧＴＣフレームヘッダのＩｎｄフィールドで予約されている。本実施形態では、下流波長情報と上流波長情報を、ＸＧＴＣフレームヘッダのＩｎｄフィールド内の当該予約フィールドで運搬してもよい。
【００３１】
別の実施形態では、下流波長情報および上流波長情報を、物理層操作運用および保守上流（Ｐｈｙｓｉｃａｌ  Ｌａｙｅｒ  Ｏｐｅｒａｔｉｏｎｓ、Ａｄｍｉｎｉｓｔｒａｔｉｏｎ  ａｎｄ  Ｍａｉｎｔｅｎａｎｃｅ  Ｕｐｓｔｒｅａｍ、ＰＬＯＡＭｕ）メッセージ、ＯＮＴ管理制御インタフェース（ＯＮＴ  Ｍａｎａｇｅｍｅｎｔ  ａｎｄ  Ｃｏｎｔｒｏｌ  Ｉｎｔｅｒｆａｃｅ、ＯＭＣＩ）メッセージ、マルチポイント制御プロトコル（Ｍｕｌｔｉ−Ｐｏｉｎｔ  Ｃｏｎｔｒｏｌ  Ｐｒｏｔｏｃｏｌ、ＭＰＣＰ）メッセージまたは操作運用保守（Ｏｐｅｒａｔｉｏｎ  Ａｄｍｉｎｉｓｔｒａｔｉｏｎ  ａｎｄ  Ｍａｉｎｔｅｎａｎｃｅ、ＯＡＭ）メッセージで運搬してもよい。フィールド値やフィールド長のような具体的なメッセージ・フォーマットを実際のニーズに従って決定してもよい。確かに、別の代替的な実施形態では、ＯＬＴ１１０は、新たに定義されたメッセージにより下流波長切替えコマンドを運搬してもよい。
【００３２】
ＰＬＯＡＭメッセージを使用して下流波長情報と上流波長情報を運搬する例を用いる。図５を参照すると、図５は当該ＰＬＯＡＭメッセージのメッセージ・フォーマットの略図である。当該ＰＬＯＡＭメッセージは通常、光回線終端装置識別子（ＯＮＵＩＤ）フィールド、メッセージ識別子（メッセージＩＤ）フィールド、シーケンス番号（Ｓｅｑｕｅｎｃｅ  Ｎｏ）フィールド、データ（Ｄａｔａ）フィールド、および整合性チェック（Ｉｎｔｅｇｒｉｔｙ  Ｃｈｅｃｋ）フィールドを含む。本実施形態では、下流波長情報と上流波長情報を当該ＰＬＯＡＭメッセージのデータ・フィールドで運搬してもよい。例えば、当該ＰＬＯＡＭメッセージが以下の表で示したフォーマットを使用してもよい。
【００３３】
【表１】
0005967744.tif 000002
【００３４】
ステップＳ２０では、ＯＮＵが下流受信波長を走査し、下流受信光物理パラメータを受信し、下流受信波長マッピング・テーブルを確立する。下流受信波長マッピング・テーブルのエントリは下流受信波長情報、下流光受信器の駆動電流情報、およびＯＮＵの受信光物理パラメータを含む。
【００３５】
具体的には、ＯＮＵが、ＯＮＵの波長調節可能な下流光受信器の最大受信波長範囲における下流受信波長を走査してもよい。例えば、ＯＮＵが、下流光受信器の駆動電流を調節して下流受信波長を漸進的に変化させ、下流受信波長を走査するプロセスの間に、各下流波長チャネルでブロードキャストされた下流光信号を受信する。さらに、当該調節可能な光受信器が、下流波長情報と上流波長情報を運搬する（ＰＬＯＡＭメッセージのような）その受信メッセージ、または下流波長情報と上流波長情報を運搬する（ＸＧＴＣフレームのような）データ・フレームをＯＮＵのＭＡＣモジュールに提供してもよい。
【００３６】
１実施形態では、ＯＮＵの当該受信光物理パラメータが、ＯＮＵの受信光電流のピーク値（即ち、ＯＮＵの下流光受信器の光発生電流）であってもよい。ＯＮＵは、下流受信波長を走査するプロセスの間に、ＯＮＵの受信光電流を検出し、ＯＮＵの受信光電流のピーク値を検索する。ＯＮＵの受信光電流のピーク値が検索されると、ＯＮＵは、ＯＮＵが現在存在する下流波長チャネルの、当該ＭＡＣモジュールから受信したメッセージまたはデータ・フレームから抽出された、下流光受信器の現在の駆動電流と下流波長情報を記録し、下流受信波長マッピング・エントリを当該３つのパラメータに従って確立してもよい。即ち、下流受信波長マッピング・エントリは、下流受信波長情報、下流光受信器の駆動電流情報、およびＯＮＵの受信光電流のピーク値を含む。
【００３７】
別の実施形態では、ＯＮＵの当該受信光物理パラメータが、ＯＮＵの受信光電力のピーク値または受信信号強度表示（Ｒｅｃｅｉｖｅｄ  Ｓｉｇｎａｌ  Ｓｔｒｅｎｇｔｈ  Ｉｎｄｉｃａｔｉｏｎ、ＲＳＳＩ）情報であってもよい。ＯＮＵは、下流受信波長を走査するプロセスの間に、ＯＮＵの受信光電力またはＲＳＳＩを検出し、ＯＮＵの受信光電力のピーク値またはＲＳＳＩピーク値を検索して検出する。ＯＮＵの受信光電力のピーク値またはＲＳＳＩピーク値が検索されると、ＯＮＵは、ＯＮＵが現在存在する下流波長チャネルの、当該ＭＡＣモジュールから受信したメッセージまたはデータ・フレームから抽出された、下流光受信器の現在の駆動電流と下流波長情報を記録し、下流受信波長マッピング・エントリを当該３つのパラメータに従って確立してもよい。即ち、下流受信波長マッピング・エントリは、下流受信波長情報、下流光受信器の駆動電流情報、およびＯＮＵの受信光電流のピーク値またはＲＳＳＩピーク値を含む。確かに、別の代替的な実施形態では、ＯＮＵの当該受信光物理パラメータがＯＮＵの別の関連する受信光物理パラメータであってもよいことは理解される。それに応じて、ＯＮＵは、下流受信波長を走査するプロセスの間に、当該物理パラメータを検出し、検出した当該物理パラメータに従って下流受信波長マッピング・エントリを確立する。
【００３８】
前述のプロセスを繰り返すことによって、ＯＮＵの下流受信波長走査で、下流光受信器によりサポートされる全ての下流受信波長または下流光受信器の下流受信波長範囲全体を横断して、１つまたは複数の下流受信波長マッピング・エントリを確立してもよい。前述の下流受信波長の走査が完了した後、ＯＮＵが、１つまたは複数のエントリを含む下流受信波長マッピング・テーブルを確立してもよい。その各エントリは、異なる下流受信波長に対応する。
【００３９】
ステップＳ３０では、ＯＮＵが、１つの下流受信波長を選択し、下流受信波長マッピング・テーブルの関連エントリに記録した下流光受信器の駆動電流情報に従って、ＯＮＵの下流光受信器の動作波長を当該選択された下流受信波長に設定する。
【００４０】
例えば、下流受信波長マッピング・テーブルを確立した後、ＯＮＵが、事前設定された波長構成要件に従ってまたはランダムに１つの下流受信波長を選択し、下流受信波長マッピング・テーブルを検索して、当該選択された下流受信波長に対応するエントリから下流光受信器の駆動電流情報を取得し、下流光受信器の当該駆動電流を下流光受信器の駆動電流情報に従って調節し、それにより、下流光受信器の下流受信波長を前述の選択された下流受信波長に設定してもよい。
【００４１】
ステップＳ４０では、ＯＮＵが上流送信波長を走査し、ＯＬＴにより提供された登録許可タイムスロットで登録要求をＯＬＴに報告する。
【００４２】
１実施形態では、当該ステップの開始条件を、下流波長チャネルを介してＯＬＴによりブロードキャストされた登録許可情報をＯＮＵが正しく受信できたが正常には登録されなかったことに設定してもよい。当該ステップの終了条件を、ＯＮＵが登録に成功したか、または、ＯＮＵがＯＬＴにより送信された上流送信波長調節停止命令を受信したことに設定してもよい。
【００４３】
具体的には、ＯＮＵは通常、初期化の間にＯＮＵの調節可能な上流光送信器の現在の上流送信波長を知らず、現在の上流送信波長を介して送信された上流光信号を正常にＯＬＴにより受信できるかどうかについて確信をもたない。したがって、本実施形態では、ＯＮＵは、ＯＮＵの上流光送信器によりサポートされる駆動電流の値範囲において当該駆動電流を徐々に変化させて、上流送信波長を走査してもよい。例えば、当該初期化の間に、ＯＮＵが、当該駆動電流の値範囲から１つの境界値を初期電流値として選択して、当該駆動電流値が当該値範囲の他方の境界値に達するまで、当該初期電流値に基づいて、予め設定した変動だけ漸進的な増大または減少を実施してもよい。このプロセスにおいて、上流光送信器の上流送信波長は、当該駆動電流の漸進的な増大または減少により徐々に調節され、それにより、上流光送信器の上流送信波長の走査を実現する。当該駆動電流値が当該値範囲の他方の値範囲に達した後、前述の終了条件が現時点で満たされていない場合には、ＯＮＵは上流光送信器の駆動電流を再び元の境界値（即ち、初期電流値）に調節して、上流送信波長の走査を再度継続してもよい。
【００４４】
上流送信波長を走査するプロセスの間、ＯＮＵの下流光受信器が、前述の選択された下流受信波長を介して、ＯＬＴにより対応する下流波長チャネルを介してブロードキャストされた登録許可情報を受信してもよい。したがって、ＯＮＵは、当該ＯＬＴによりＯＮＵに提供された登録許可タイムスロットにおいて、上流光送信器の駆動電流が現在そこに調節されている駆動電流値に対応する上流送信波長に従ってＯＮＵ登録要求をＯＬＴに送信できることを、その上流光送信器に通知してもよい。
【００４５】
ＯＮＵ登録要求を送信した後、ＯＮＵのＭＡＣモジュールはさらに、ＯＬＴによりフィードバックされたＯＮＵ識別子（ＯＮＵ  ＩＤ）割当てメッセージが事前設定された期間内に受信されたかどうかを判定してもよい。ＯＮＵ  ＩＤ割当てメッセージを当該事前設定された期間内に受信できなかった場合には、当該ＭＡＣモジュールは、ＯＬＴが上流光送信器の現在の上流送信波長をサポートしない（即ち、上流送信波長を使用するときをＯＮＵが正常に登録できない）とみなしてもよく、ＯＬＴにより送信されたＯＮＵ  ＩＤ割当てメッセージの受信に成功する（即ち、ＯＮＵが登録に成功する）まで、前述の走査規則に従って上流光送信器の駆動電流を調節し、前述の上流送信波長の走査を維持するように上流光送信器を制御し、ＯＬＴにより割り当てられた次の登録許可タイムスロットでＯＮＵ登録要求を再びＯＬＴに送信するのを継続してもよい。
【００４６】
ステップＳ５０では、ＯＬＴが上流送信波長調節命令をＯＮＵに送信し、ＯＮＵの上流送信波長を調節するプロセスの間に、ＯＬＴの受信光物理パラメータを検出し、上流受信波長マッピング・テーブルを確立する。上流受信波長マッピング・テーブルのエントリは、上流受信波長情報、ＯＬＴの受信光物理パラメータ、およびＯＮＵシーケンス番号情報を含む。
【００４７】
具体的な実施形態では、ＯＬＴの当該受信光物理パラメータが、ＯＬＴの受信光電流のピーク値、ＯＬＴの受信光電力のピーク値、またはＲＳＳＩピーク値であってもよい。ＯＬＴの受信光電流のピーク値を例としてとる。ＯＮＵ登録プロセスの間に、ＯＬＴが、ＯＮＵにより送信された上流光信号に対応するＯＬＴの受信光電流（即ち、ＯＬＴの上流光受信器の光発生電流）を検出し、ＯＬＴの受信光電流を記録してもよい。さらに、ＯＮＵが登録を完了した後、ＯＬＴが当該波長チャネルでのＯＮＵの登録回数を増大させてもよい。別の態様では、ＯＬＴが上流送信波長調節命令をＯＮＵに送信して、前述のステップＳ４０の上流送信波長走査規則に従って上流送信波長を微調整するようにＯＮＵに指示してもよい。ＯＮＵは、ＯＬＴにより送信された上流送信波長調節停止命令が受信されるまで、上流光送信器の駆動電流を徐々に調節して上流送信波長の微調整を実現してもよい。
【００４８】
ＯＬＴが、ＯＮＵの上流送信波長を微調整するプロセスの間に、対応する上流波長チャネルを介してＯＮＵにより送信された上流光信号に関する光発生電流を検出してもよく、それにより、ＯＬＴの受信光電流の値を取得し記録する。さらに、ＯＬＴのＭＡＣモジュールが、当該ＭＡＣモジュールにより記録された一連のＯＬＴの受信光電流の値からＯＬＴの当該受信光電流のピーク値を発見し、ＯＬＴの当該受信光電流のピーク値と当該ピーク値に対応する上流波長情報とに従って上流受信波長マッピング・エントリを確立してもよい。当該上流受信波長マッピング・エントリが、上流受信波長情報、ＯＬＴの当該受信光電流のピーク値に関する情報、およびＯＮＵシーケンス番号情報を含んでもよい。上流受信波長情報が、（波長チャネル数のような）上流波長チャネルのチャネル識別子情報またはＯＬＴが当該受信光電流のピーク値を検出したときの当該波長チャネルの上流波長情報であってもよく、上流光信号は上流波長チャネルにより運搬される。
【００４９】
別の代替的な実施形態では、ＯＬＴの受信光物理パラメータがＯＬＴの受信光電力のピーク値またはＲＳＳＩピーク値または別の物理パラメータを使用する場合、ＯＬＴがＯＮＵの上流送信波長を微調整するプロセスの間に関連する物理パラメータを検出してもよく、それに応じてＯＬＴにより確立された上流受信波長マッピング・エントリ内のＯＬＴの当該受信光電流のピーク値に関する情報がＯＬＴの受信光電力の当該ピーク値または当該ＲＳＳＩピーク値または別の物理パラメータにより置き換えられることは理解される。
【００５０】
前述のプロセスを繰り返すことによって、ＯＮＵの上流送信波長走査で、上流光送信器によりサポートされる全ての上流送信波長または上流光送信器の上流送信波長範囲全体を横断してもよい。したがって、ＯＬＴが、１つまたは複数の上流受信波長マッピング・エントリを確立してもよい。前述の上流送信波長の走査が完了した後、ＯＬＴが、１つまたは複数のエントリを含む上流受信波長マッピング・テーブルを確立してもよい。その各エントリは異なる上流受信波長に対応する。
【００５１】
ステップＳ６０では、ＯＬＴが上流受信波長情報をＯＮＵに送信し、ＯＮＵが上流送信波長マッピング・テーブルを上流受信波長情報に従って確立する。上流送信波長マッピング・テーブルのエントリは上流光送信器の上流送信波長情報と駆動電流情報を含む。
【００５２】
例えば、ＯＮＵが１つの同一の上流波長チャネルに対して二度目に登録を行ったとＯＬＴが発見したとき、ＯＬＴのＭＡＣモジュールは、ＯＬＴの受信光電流の現在の検出値をＯＬＴの受信光電流の記録されたピーク値と比較して、それらの間の変動が事前設定閾値より小さいかどうかを判定してもよい。当該変動が当該閾値より小さい場合には、ＯＮＵの現在の上流送信波長がＯＬＴの現在の上流受信波長と揃っているとみなしてもよく、ＯＬＴは、上流波長チャネルの、ＯＬＴの受信光電流のピーク値に対応する上流波長情報をＯＮＵに送信してもよい。ＯＮＵが上流波長情報を受信した後、ＯＮＵが、対応する上流送信波長マッピング・テーブルを確立してもよい。上流送信波長マッピング・テーブルのエントリが、ＯＮＵの上流光送信器の上流送信波長情報（即ち、ＯＬＴにより提供された上流波長情報）と駆動電流情報を含んでもよい。
【００５３】
ＯＮＵが１つの同一の波長チャネルで三度目に登録したことをＯＬＴが発見したとき、ＯＬＴは、上流送信波長マッピング・テーブルの確立が完了したとみなしてもよい。この場合、ＯＬＴが、上流送信波長走査停止命令をＯＮＵに送信して、前述の上流送信波長の走査を停止するようにＯＮＵに指示してもよい。加えて、ＯＬＴがさらに、上流波長チャネルでのＯＮＵの登録回数をゼロにリセットしてもよい。
【００５４】
ステップＳ７０では、ＯＮＵが、下流のＯＬＴによりブロードキャストされＯＮＵ登録に利用できる上流波長情報に従って、上流送信波長マッピング・テーブルの関連エントリに記録した上流光送信器の駆動電流情報を問い合わせ、上流光送信器の上流送信波長を当該駆動電流情報に従って設定する。
【００５５】
ＯＮＵが、ＯＬＴにより送信された上流送信波長走査停止命令を受信した後、ＯＮＵは、ＭＡＣモジュールにより解析されＯＮＵ登録に利用できる上流波長情報に従って、ＯＮＵにより確立された上流送信波長マッピング・テーブルの関連エントリを問い合わせて、ＯＬＴにより提供されＯＮＵ登録に利用できる上流波長情報に対応するエントリに記録された上流光送信器の当該駆動電流情報を取得し、上流光送信器の駆動電流を当該駆動電流情報に従って設定してもよい。したがって、上流光送信器の上流送信波長は、当該ＭＡＣモジュールにより解析されＯＮＵ登録に利用できる上流波長に設定される。
【００５６】
場合によっては、具体的な実施形態では、多重波長受動光ネットワークのための波長構成方法がさらに以下を含んでもよい。
【００５７】
ステップＳ８０では、ＯＮＵは、下流受信波長マッピング・テーブルに従って、下流光受信器の下流受信波長に変動が生じたかどうかを検出し、当該変動が生じたとき下流受信波長を較正する。
【００５８】
具体的には、正常な通信プロセスの間に、ＯＮＵは、ＯＮＵの受信光電流（またはＯＮＵの受信光電力またはＲＳＳＩ）を監視し、監視したＯＮＵの受信光電流の値（またはＯＮＵの受信光電力の値またはＲＳＳＩ値）を、下流受信波長マッピング・テーブルの関連エントリに記録したＯＮＵの受信光電流のピーク値（またはＯＮＵの受信光電力のピーク値またはＲＳＳＩピーク値）と比較してもよい。それらの間の変動が事前設定閾値より大きい場合には、ＯＮＵの下流光受信器の下流受信波長に変動が生じたと考えられる。この場合、ＯＮＵが、１つの方向をランダムに選択して下流光受信器の下流受信波長を調節して、当該調節プロセスの間にＯＮＵの受信光電流（またはＯＮＵの受信光電力の値またはＲＳＳＩ値）を測定し続けてもよい。測定したＯＮＵの受信光電流の値（またはＯＮＵの受信光電力の値またはＲＳＳＩ値）が減少した場合、測定したＯＮＵの受信光電流の値（またはＯＮＵの受信光電力の値またはＲＳＳＩ値）およびＯＮＵの受信光電流のピーク値（またはＯＮＵの受信光電力のピーク値またはＲＳＳＩピーク値）の間の変動が当該事前設定閾値より小さくなるまで、下流受信波長を反対方向に調節する。
【００５９】
ステップＳ９０では、ＯＬＴが、上流受信波長マッピング・テーブルに従って、ＯＮＵの上流送信波長に変動が生じたかどうかを監視し、当該変動が生じたとき、上流送信波長を較正するようにＯＮＵに指示する。
【００６０】
具体的には、正常な通信プロセスの間に、ＯＬＴは、ＯＬＴの受信光電流（またはＯＬＴの受信光電力またはＲＳＳＩ）を監視し、ＯＬＴの監視された受信光電流の値（またはＯＬＴの受信光電力の値またはＲＳＳＩ値）を、上流受信波長マッピング・テーブルの関連エントリに記録したＯＬＴの受信光電流のピーク値（またはＯＬＴの受信光電力のピーク値またはＲＳＳＩピーク値）と比較してもよい。それらの間の変動が事前設定閾値より大きい場合には、ＯＮＵの上流光送信器の上流送信波長に変動が生じたと考えられる。この場合、ＯＬＴは、波長調節命令をＯＮＵに送信して、１つの方向をランダムに選択して上流光送信器の上流送信波長を調節するようにＯＮＵに指示してもよい。ＯＬＴは、ＯＮＵの上流送信波長を調節するプロセスの間にＯＬＴの受信光電流（またはＯＬＴの受信光電力の値またはＲＳＳＩ値）を測定し続ける。ＯＬＴの受信光電流の値（またはＯＬＴの受信光電力の値またはＲＳＳＩ値）が減少したことが測定された場合には、ＯＬＴは、ＯＬＴの測定された受信光電流の値（またはＯＬＴの受信光電力の値またはＲＳＳＩ値）とＯＬＴの受信光電流のピーク値（またはＯＬＴの受信光電力のピーク値またはＲＳＳＩピーク値）との間の変動が当該事前設定閾値より小さくなるまで、当該波長調節命令をＯＮＵに再び送信して、上流送信波長を反対方向に調節するようにＯＮＵに指示する。
【００６１】
本発明の当該実施形態に従う多重波長受動光ネットワークのための波長構成方法では、ＯＮＵが、初期化プロセスの間に波長を走査しＯＬＴと対話し、対応する波長マッピング・テーブルを確立して、ＯＮＵにより構成された送信波長と受信波長がＯＬＴによりサポートされる波長範囲内にあることを保証し、それにより、ＯＮＵの送信波長と受信波長の正常な初期化を実現する。別の態様では、正常な通信プロセスの間に、ＯＮＵの送信波長と受信波長に変動が生じたかどうかを当該波長マッピング・テーブルに基づいてリアルタイムに監視することができ、当該変動が生じたとき自動的な調節が実施され、それにより、信号受信品質が保証されビット誤り率が低下する。
【００６２】
前述の実施形態に従う多重波長受動光ネットワーク・システムに対する波長構成方法に基づいて、本発明ではさらに波長構成装置を提供する。当該波長切替え装置を、図２に示す多重波長受動光ネットワーク・システム１００内のＯＮＵ１２０に適用してもよい。図６を参照する。図６は、本発明の１実施形態に従う多重波長受動光ネットワーク・システム６００に対する波長構成装置の略構造図である。
【００６３】
波長構成装置６００は、下流受信波長を走査し、下流受信波長を走査するプロセスの間に、ＯＬＴにより多重波長ＰＯＮシステムの各下流波長チャネルを介して別々にブロードキャストされた各下流波長チャネルの下流波長情報を受信するように構成された受信モジュール６１０と、下流波長情報に従って下流受信波長マッピング・テーブルを確立するように構成された波長マッピング・テーブル確立モジュール６２０であって、当該下流受信波長マッピング・テーブルのエントリは下流受信波長情報、下流光受信器の駆動電流情報、およびＯＮＵの受信光物理パラメータを含む波長マッピング・テーブル確立モジュール６２０と、ＯＬＴによりブロードキャストされた下流波長情報から１つの下流波長を選択し、当該下流受信波長マッピング・テーブルの関連エントリに記録した下流光受信器の駆動電流情報に従って、下流光受信器の動作波長を当該選択された下流波長に設定するように構成された波長構成モジュール６３０とを備えてもよい。
【００６４】
具体的な実施形態では、波長マッピング・テーブル確立モジュール６２０は、下流受信波長を走査するプロセスの間に、ＯＮＵの受信光電流のピーク値（またはＯＮＵの受信光電力のピーク値またはＲＳＳＩピーク値）を検出されたＯＮＵの受信光電流（またはＯＮＵの受信光電力またはＲＳＳＩ）から検索するように構成されたピーク値検索ユニット６２１と、当該ピーク値検索ユニットがＯＮＵの受信光電流のピーク値（またはＯＮＵの受信光電力のピーク値またはＲＳＳＩピーク値）を検索したとき、下流光受信器の現在の駆動電流と、ＯＮＵの受信光電流のピーク値に対応する下流波長チャネルの下流波長情報（またはＯＮＵの受信光電力のピーク値またはＲＳＳＩピーク値）とを記録し、下流受信波長マッピング・エントリを当該３つのパラメータに従って確立するように構成されたエントリ確立モジュール６２２とを備えてもよい。
【００６５】
さらに、１実施形態では、波長構成装置６００はさらに、上流送信波長を走査し、ＯＬＴにより割り当てられた登録許可タイムスロットで登録要求をＯＬＴに送信するように構成された送信モジュール６４０と、当該受信モジュールが、ＯＬＴが送信したＯＮＵ識別子割当てメッセージを受信したかどうかを判定し、受信しなかった場合には、当該受信モジュールがＯＮＵ識別子割当てメッセージの受信に成功するまで、ＯＬＴにより割り当てられた次の登録許可タイムスロットで当該登録要求をＯＬＴに再び送信するように当該送信モジュールを制御するように構成された制御モジュール６５０とを備えてもよい。
【００６６】
具体的な実施形態では、送信モジュール６４０は、上流光送信器によりサポートされる駆動電流の値範囲から１つの境界値を初期電流値として選択して、事前設定変動を用いることによって上流光送信器の駆動電流を調節して漸進的な増大または減少を実施するように構成された駆動電流調節ユニット６４１と、ＯＬＴによりＯＮＵに提供された当該登録許可タイムスロットにおいて、駆動電流値に対応する上流送信波長に従ってＯＮＵ登録要求をＯＬＴに送信するように構成された送信ユニット６４２であって、上流光送信器の当該駆動電流は現在、当該駆動電流値に調節されている送信ユニット６４２とを備えてもよい。
【００６７】
１実施形態では、波長構成装置６００は、下流受信波長マッピング・テーブルに従って、ＯＮＵの下流光受信器の下流受信波長に変動が生じたかどうかを検出し、当該変動が生じたとき下流受信波長を較正するように構成された波長較正モジュール６６０をさらに備えてもよい。
【００６８】
１実施形態では、受信モジュール６１０をさらに、ＯＬＴにより送信された上流送信波長調節命令を受信するように構成してもよい。加えて、送信モジュール６４０はさらに、ＯＬＴがＯＬＴの受信光電流（またはＯＬＴの受信光電力またはＲＳＳＩ）を検出して上流受信波長マッピング・テーブルを確立するように、上流光送信器の上流送信波長を上流波長調節命令に従って微調整するように構成される。
【００６９】
さらに、受信モジュール６１０はさらに、上流受信波長マッピング・テーブルを確立した後に、ＯＬＴが送信した上流受信波長情報を受信するように構成される。加えて、波長マッピング・テーブル確立モジュール６２０をさらに、上流送信波長マッピング・テーブルを上流受信波長情報に従って確立するように構成してもよい。当該上流送信波長マッピング・テーブルは、上流光送信器の上流送信波長情報と駆動電流情報を含む。
【００７０】
さらに、受信モジュール６１０をさらに、ＯＬＴによりブロードキャストされた下流波長情報を受信したとき、ＯＬＴにより各下流波長チャネルを介して別々にブロードキャストされＯＮＵ登録に利用できる上流波長情報を受信するように構成してもよい。加えて、波長構成モジュール６２０はさらに、ＯＮＵ登録に利用できる上流波長情報に従って、上流送信波長マッピング・テーブルの関連エントリに記録した上流光送信器の駆動電流情報を問い合わせて、当該駆動電流情報に従って上流光送信器の上流送信波長を設定するように構成される。
【００７１】
前述の説明は、波長構成装置６００の各機能モジュールの主要な機能の概要にすぎないことは理解される。当該機能モジュールの具体的な動作プロセスについては、前述の実施形態における波長構成方法を参照されたい。当該機能モジュールへの分割は主に波長構成における具体的な機能に基づくものである。具体的な実施形態では、波長切替え装置６００を図２に示す多重波長受動光ネットワーク・システム１００内のＯＮＵ１２０に適用するとき、受信モジュール６１０を、下流光受信器１２２と関連するドライバモジュールとを用いて実装してもよく、送信モジュール６４０を、上流光送信器１２３と関連するドライバモジュールとを用いて実装してもよく、波長マッピング・テーブル確立モジュール６２０、波長構成モジュール６３０、制御モジュール６５０、および波長較正モジュール６６０を、ＯＮＵ１２０のＭＡＣモジュールを用いて実装してもよい。確かに、別の代替的な実施形態では、波長構成装置６００の各機能モジュールをさらに、別のハードウェア・エンティティを用いて実装してもよい。
【００７２】
当該実施形態の上述の説明に基づいて、本発明を必要なハードウェア・プラットフォームとソフトウェアにより、または、ハードウェアのみにより実装してもよいことは当業者に明らかに理解される。かかる理解に基づいて、背景技術に貢献する本発明の技術的解決策の全部または一部をソフトウェア製品の形で実装してもよい。当該コンピュータ・ソフトウェア製品を、ＲＯＭ／ＲＡＭ、磁気ディスク、または光ディスクのような記憶媒体に格納してもよく、当該製品は、当該実施形態または本発明の諸実施形態の一部で説明した方法を実施するようにコンピュータ装置（パーソナル・コンピュータ、サーバ、またはネットワーク装置であってもよい）に指示するための幾つかの命令を含む。
【００７３】
以上の説明は本発明の例示的な具体的な実装方式にすぎず、本発明の保護範囲を限定しようとするものではない。本発明で開示した技術的範囲において当業者が容易に想到する任意の変形または置換は本発明の保護範囲に入るものとする。したがって、本発明の保護範囲は添付の特許請求の範囲の保護範囲に支配される。
【符号の説明】
【００７４】
６１０  受信モジュール
６２０  波長マッピング・テーブル確立モジュール
６３０  波長構成モジュール
６４０  送信モジュール
６５０  制御モジュール
６６０  波長較正モジュール
【図１】
0005967744.tif 000003
【図２】
0005967744.tif 000004
【図３】
0005967744.tif 000005
【図４】
0005967744.tif 000006
【図５】
0005967744.tif 000007
【図６】
0005967744.tif 000008